(57)【要約】  本発明は、ＭＩＭＯステーションを含むインフラストラクチャネットワークにおける無線ネットワーク通信方法を提供する。  ポイント調整子が多重入力／多重出力ステーションに割り当てる競争区間を設定する段階と、競争区間に関連した情報が載せられた管理フレームを前記ポイント調整子が含まれた基本サービスセットのステーションに伝送する段階、及び管理フレームを受信したステーションが管理フレームに載せられた情報に応じて通信を遂行する段階を含む。これにより、無線インフラストラクチャネットワークで従来のＩＥＥＥ８０２．１１基盤の単一入力／単一出力ステーションと多重入力／多重出力ステーション間の通信衝突を避けるようにできる。
2007522757.tif 000002
【特許請求の範囲】
【請求項１】
ＭＩＭＯステーションが競争を通じてチャネルを占有できる期間であるＭＩＭＯ競争区間に関する情報が含まれた管理フレームを生成する段階；及び
前記生成した管理フレームを伝送する段階を含むことを特徴とする無線ネットワーク通信方法。
【請求項２】
前記ＭＩＭＯステーションの競争は、バックオフアルゴリズムによる競争であることを特徴とする請求項１に記載の無線ネットワーク通信方法。
【請求項３】
前記管理フレームは、ビーコンフレームであることを特徴とする請求項１に記載の無線ネットワーク通信方法。
【請求項４】
前記ビーコンフレームは、ＩＥＥＥ８０２．１１標準規格に従うビーコンフレームであることを特徴とする請求項３に記載の無線ネットワーク通信方法。
【請求項５】
前記ＭＩＭＯ競争区間に関する情報は、前記情報の要素を示す要素ＩＤフィールド、前記ＭＩＭＯステーションが競争を通じてチャネルを占有できる時間を示すＭＩＭＯ競争区間フィールド、及び前記ＭＩＭＯ競争区間フィールドのサイズを示す長さフィールドを含むことを特徴とする請求項１に記載の無線ネットワーク通信方法。
【請求項６】
前記管理フレームは、ＳＩＳＯステーションが無競争的にチャネルを占有できる期間である最大無競争区間に関する情報をさらに含み、前記ＭＩＭＯ競争区間は前記最大無競争区間内に含まれるように設定されることを特徴とする請求項５に記載の無線ネットワーク通信方法。
【請求項７】
前記ＭＩＭＯ競争区間は、前記最大無競争区間と同時に終了されるように設定されることを特徴とする請求項６に記載の無線ネットワーク通信方法。
【請求項８】
前記最大無競争区間の終了を示す無競争終了フレームを生成する段階；及び
前記生成した無競争終了フレームを伝送する段階をさらに含むことを特徴とする請求項７に記載の無線ネットワーク通信方法。
【請求項９】
ＭＩＭＯステーションが競争を通じてチャネルを占有できる期間であるＭＩＭＯ競争区間に関する情報を含む管理フレームを受信する段階；及び
前記受信した管理フレームに含まれた前記ＭＩＭＯ競争区間に関する情報が示される期間にＭＩＭＯステーションが競争を通じてチャネルを占有する段階を含むことを特徴とする無線ネットワーク通信方法。
【請求項１０】
前記ＭＩＭＯステーションの競争は、バックオフアルゴリズムによる競争であることを特徴とする請求項９に記載の無線ネットワーク通信方法。
【請求項１１】
前記管理フレームは、ビーコンフレームであることを特徴とする請求項９に記載の無線ネットワーク通信方法。
【請求項１２】
前記ビーコンフレームは、ＩＥＥＥ８０２．１１標準規格に従うビーコンフレームであることを特徴とする請求項１１に記載の無線ネットワーク通信方法。
【請求項１３】
前記競争区間に関する情報は、前記情報の要素を示す要素ＩＤフィールド、前記ＭＩＭＯステーションが競争を通じてチャネルを占有できる時間を示すＭＩＭＯ競争区間フィールド、及び前記ＭＩＭＯ競争区間フィールドのサイズを示す長さフィールドを含むことを特徴とする請求項９に記載の無線ネットワーク通信方法。
【請求項１４】
前記管理フレームは、ＳＩＳＯステーションが無競争的にチャネルを占有できる期間である最大無競争区間に関する情報をさらに含み、前記ＭＩＭＯ競争区間は、前記最大無競争区間内に含まれるように設定された管理フレームであることを特徴とする請求項１３に記載の無線ネットワーク通信方法。
【請求項１５】
前記ＭＩＭＯ競争区間は、前記最大無競争区間と同時に終了されることを特徴とする請求項１４に記載の無線ネットワーク通信方法。
【請求項１６】
前記ＭＩＭＯ競争区間が終了された場合競争を通じてチャネルを占有してＳＩＳＯデータを伝送する段階をさらに含むことを特徴とする請求項１５に記載の無線ネットワーク通信方法。
【請求項１７】
ポイント調整子がＭＩＭＯステーションに割り当てる競争区間を設定する段階；
前記設定された競争区間に関連した情報が載せられた管理フレームを前記ポイント調整子が含まれた基本サービスセットのステーションに伝送する段階；及び
前記管理フレームを受信したステーションが前記管理フレームに載せられた情報に応じて通信を遂行する段階を含むことを特徴とする無線ネットワーク通信方法。
【請求項１８】
前記管理フレームは、ビーコンフレームであることを特徴とする請求項１７に記載の無線ネットワーク通信方法。
【請求項１９】
前記設定された競争区間では、ＭＩＭＯステーションが競争を通じてチャネルを占有することを特徴とする請求項１８に記載の無線ネットワーク通信方法。
【請求項２０】
前記競争区間に関連した情報は、前記情報の要素を示す要素ＩＤフィールド、前記ＭＩＭＯステーションが競争を通じてチャネルを占有できる期間を示すＭＩＭＯ競争区間フィールド、及び前記ＭＩＭＯ競争区間フィールドのサイズを示す長さフィールドを含むことを特徴とする請求項１７に記載の無線ネットワーク通信方法。
【請求項２１】
前記ＭＩＭＯ競争区間は、ＳＩＳＯステーションが無競争的にチャネルを占有できる期間である最大無競争区間に含まれるように設定されることを特徴とする請求項２０に記載の無線ネットワーク通信方法。
【請求項２２】
前記ＭＩＭＯ競争区間は、前記最大無競争区間と同時に終了されることを特徴とする請求項２１に記載の無線ネットワーク通信方法。
【請求項２３】
前記ＭＩＭＯ競争区間及び前記最大無競争区間の終了は、前記ポイント調整子の無競争終了フレームによる終了であることを特徴とする請求項２１に記載の無線ネットワーク通信方法。
【請求項２４】
前記無競争終了フレームを受信したステーションが競争を通じてチャネルを占有してＳＩＳＯデータを伝送する段階をさらに含むことを特徴とする請求項２３に記載の無線ネットワーク通信方法。
【発明の詳細な説明】
【技術分野】
【０００１】
本発明は、無線ネットワーク通信に係り、さらに詳細には、多重入力／多重出力ステーションと単一入力／単一出力ステーションが共存する場合従来の無競争区間を分けて多重入力／多重出力ステーションのための競争区間を割り当てることによって、各ステーションの間のフレーム衝突を防止するようにする無線ネットワーク通信に関する。
【背景技術】
【０００２】
無線ＬＡＮは、有線ＬＡＮでのようにフロアに配線を行わなく、一定距離内にあるステーション同士無線チャネルを通じてデータを送受信できるネットワークである。従って、無線ＬＡＮ内でステーションはその移動が自由である。
【０００３】
一般に、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準で限定する無線ＬＡＮの基本構成は基本サービスセット（Ｂａｓｉｃ  Ｓｅｒｖｉｃｅ  Ｓｅｔ；以下、‘ＢＳＳ’と称する。）である。ＢＳＳは、独立ネットワーク（Ｉｎｄｅｐｅｎｄｅｎｔ  ＢＳＳ）及びインフラストラクチャネットワーク（Ｉｎｆｒａｓｔｒｕｃｔｕｒｅ  ＢＳＳ）に区分できる。
【０００４】
インフラストラクチャネットワークでアクセスポイント（Ａｃｃｅｓｓ  Ｐｏｉｎｔ；ＡＰ）は、ビーコンフレームの伝送を担当する。ビーコンフレームを通じて一つのネットワークが維持でき、ビーコンフレームが示される領域はＢＳＳを限定する。
【０００５】
反面、独立ネットワークでは、ＡＰが商用化されなく、独立ネットワークはＢＳＳ内にあるステーション間に直接的な通信が行われるアドホックネットワークを意味する。
【０００６】
一方、ＩＥＥＥ８０２．１１標準は、データ伝送媒体についてのステーションの接近のためＤＣＦ（Ｄｉｓｔｒｉｂｕｔｅｄ  Ｃｏｏｒｄｉｎａｔｉｏｎ  Ｆｕｎｃｔｉｏｎ）とＰＣＦ（Ｐｏｉｎｔ  Ｃｏｏｒｄｉｎａｔｉｏｎ  Ｆｕｎｃｔｉｏｎ）を用いる。
【０００７】
図１は、ＰＣＦ方式によってステーション間にデータを伝送する過程を示した図面である。一般的なＰＣＦ方式は、ＤＣＦ方式と一緒に使用される。すなわち、ＰＣＦ区間が終われば、ＤＣＦ区間が開始され、これら全体が一つの反復区間（ＣＦＰ反復区間）を形成する。ここで、Ｄ１、Ｄ２などは、ポイントコーディネーターから送ったフレームを意味し、Ｕ１、Ｕ２などはポールを受けたステーションから送ったフレームを意味する。
【０００８】
ＰＣＦルールに従う無競争区間（Ｃｏｎｔｅｎｔｉｏｎ−Ｆｒｅｅ  Ｐｅｒｉｏｄ；ＣＦＰ）は、先ずポイントコーディネーターがビーコンを伝送することによって開始される。ＡＰに存在するポイントコーディネーターが各ステーションに送るデータがあるか問うポーリング過程は、各ステーション毎にラウンドロビン方式で進行される。ポイントコーディネーターでポーリングを行えば、ポーリングを受けたステーションは目的地ステーションに伝送するデータ及びＡＣＫ（アクノレッジ）をポイントコーディネーターに送信する。この時、ポイントコーディネーターは、受信したデータ及びＡＣＫを目的地ステーションに送信し、目的地ステーションにポーリングをする。ポーリングを受けた目的地ステーションは再びＡＣＫをポイントコーディネーターに送信し、送るデータがあれば、一緒に送信する。このような方式で無競争区間の間ステーション間にデータを送受信する。
【０００９】
図２は、ＤＣＦ方式のバックオフ手続きを示した図面である。ＰＣＦは、競争がないサービスを提供する反面、ＤＣＦは競争基盤のサービスを提供する。ＤＣＦは、衝突防止のために循環するバックオフウィンドウメカニズムを使用する。ＤＣＦで媒体使用要否を判断する基準はＤＩＦＳ（ＤＣＦ  Ｉｎｔｅｒ  Ｆｒａｍｅ  Ｓｐａｃｅ）である。
【００１０】
図示するように、ＤＣＦ方式の競争区間（Ｃｏｎｔｅｎｔｉｏｎ  Ｐｅｒｉｏｄ；ＣＰ）ではＤＩＦＳ期間後に所定の大きさの競争ウィンドウ（Ｃｏｎｔｅｎｔｉｏｎ  Ｗｉｎｄｏｗ；ＣＷｉｎｄｏｗ）区間が各ステーションに設定される。この時、バックオフアルゴリズムによって選択される確率が同一なランダムスロットの大きさがＩＢＳＳ内の競争に参与した各ステーションに割り当てられる。
【００１１】
図示された例を通じて説明すれば、現在チャネルを使用しているステーションＡのフレーム伝送が終了されれば、フレーム伝送を延期しているステーションＢ、Ｃ及びＤがＤＩＦＳ以後チャネル確保のための競争に参与する。先ず、一番目競争ウィンドウ区間で最小のバックオフ時間を選択したステーションＣのバックオフタイマーが０になればステーションＣは自分のフレームを伝送する。
【００１２】
その後、ＤＩＦＳ区間が過ぎ、二番目競争ウィンドウ区間ではステーションＢ、Ｄ及びＥが競争に参与し、前述したような過程を通じてステーションＤが伝送チャネルを確保してフレーム伝送を開始する。三番目競争ウィンドウ区間では、ステーションＢ及びＥが競争に参与しており、同一な過程を通じてステーションＥが伝送チャネルを確保してフレームを伝送する。四番目競争ウィンドウ区間では、ステーションＢのみが競争に参与し、前述したようなバックオフアルゴリズムを通じてステーションＢが伝送チャネルを確保してフレームを伝送する。
【００１３】
一方、ディジタル製品の拡散と発展に伴ってディジタル技術は、１００Ｍｂｉｔｓ／ｓｅｃを超える高速無線ＬＡＮ（Ｗｉｒｅｌｅｓｓ  Ｌｏｃａｌ  Ａｒｅａ  Ｎｅｔｗｏｒｋ）の開発を要求している。このような開発要求を充足させてやることができる次世代無線ＬＡＮの高速化技術候補のうち一つとして認識されていることが多重入力／多重出力（Ｍｕｌｔｉｐｌｅ  Ｉｎｐｕｔ  Ｍｕｌｔｉｐｌｅ  Ｏｕｔｐｕｔ；以下、‘ＭＩＭＯ’と称する。）技術である。
【００１４】
ＭＩＭＯ技術は、送信機と受信機が多重のアンテナを用いることができるようにする。このようなＭＩＭＯ技術は、多重アンテナを通じて相異なるデータを同時に伝送するか、或いは受信するようにすることによってシステムの帯域幅をさらに増加させず高速にデータ伝送できる‘Ｓｐａｔｉａｌ  Ｍｕｌｔｉｐｌｅｘｉｎｇ’技法と多重のアンテナで同じデータを伝送して送信の多様性を得ようとする‘Ｓｐａｔｉａｌ  Ｄｉｖｅｒｓｉｔｙ’技術に区分される。
【００１５】
ところで、従来のＩＥＥＥ８０２．１１ａ基盤の単一入力／単一出力（Ｓｉｎｇｌｅ  Ｉｎｐｕｔ  Ｓｉｎｇｌｅ  Ｏｕｔｐｕｔ；ＳＩＳＯ）ステーションは、ＭＩＭＯステーションから伝送されるデータフレームを認識できない。従って、ＳＩＳＯステーションとＭＩＭＯステーションが共存するインフラストラクチャＢＳＳの場合、従来技術によれば、ＭＩＭＯステーションが通信チャネルを占有している途中にＩＥＥＥ８０２．１１ａステーションが通信を遂行することによってフレーム間衝突可能性を内在している問題点が提起された。
【発明の開示】
【発明が解決しようとする課題】
【００１６】
本発明が解決しようとする技術的課題は、無線インフラストラクチャネットワークでＭＩＭＯステーションが安全にチャネルを占有できる一定時間を割り当てることによって従来のＩＥＥＥ８０２．１１ａステーションとＭＩＭＯステーション間の通信衝突を避けるようにして同一ネットワーク内に二つ種類のステーションが共存できるようにすることにある。
【課題を解決するための手段】
【００１７】
前記技術的課題を達成するための本発明の一実施形態による無線ネットワーク通信方法は、ＭＩＭＯステーションが競争を通じてチャネルを占有できる期間であるＭＩＭＯ競争区間に関する情報が含まれた管理フレームを生成する段階、及び前記生成した管理フレームを伝送する段階を含む。
【００１８】
前記技術的課題を達成するための本発明の他の実施形態による無線ネットワーク通信方法は、ＭＩＭＯステーションが競争を通じてチャネルを占有できる期間であるＭＩＭＯ競争区間に関する情報を含む管理フレームを受信する段階、及び前記受信した管理フレームに含まれた前記ＭＩＭＯ競争区間に関する情報が示される期間にＭＩＭＯステーションが競争を通じてチャネルを占有する段階を含む。
【００１９】
前記技術的課題を達成するための本発明のさらに他の実施形態による無線ネットワーク通信方法は、ポイント調整子がＭＩＭＯステーションに割り当てる競争区間を設定する段階、前記設定された競争区間に関連した情報が載せられた管理フレームを前記ポイント調整子が含まれた基本サービスセットのステーションに伝送する段階、及び前記管理フレームを受信したステーションが前記管理フレームに載せられた情報に応じて通信を遂行する段階を含む。
【発明の効果】
【００２０】
上述したように本発明によれば、同一の無線インフラストラクチャネットワークで従来のＩＥＥＥ８０２．１１ａ基盤のステーションとＭＩＭＯステーション間の通信衝突を避けるようにできる。
【発明を実施するための最良の形態】
【００２１】
以下、添付した図面を参照して本発明の実施形態による無線ネットワーク通信方法を詳細に説明する。
【００２２】
図３は、ＩＥＥＥ８０２．１１標準で限定する管理フレーム１００の構成を示したことである。このような管理フレームには、ビーコンフレーム、結合要請フレーム、結合解除フレーム、結合応答フレーム、プローブ要請フレーム、プローブ応答フレームなどがある。
【００２３】
管理フレーム１００は、ＭＡＣヘッダー１１０、フレームボディー１２０、及びＦＣＳ（Ｆｒａｍｅ  Ｃｈｅｃｋ  Ｓｅｑｕｅｎｃｅ）フィールド１３０で構成される。ＭＡＣヘッダー１１０は、再びフレーム制御フィールド、持続フィールド、目的地住所フィールド、ソース住所フィールド、ＢＳＳＩＤ（Ｂａｓｉｃ  Ｓｅｒｖｉｃｅ  Ｓｅｔ  ＩＤ）フィールド、及びシーケンス制御フィールドで構成される。
【００２４】
このような管理フレーム１００のフレームボディー１２０は、図４のような構造を有する一つ以上の情報要素（Ｉｎｆｏｒｍａｔｉｏｎ  Ｅｌｅｍｅｎｔ；ＩＥ）２００に揃えられる。情報要素２００は、情報要素の種類を記録する要素ＩＤフィールド２１０、情報フィールド２３０のサイズを記録する長さフィールド２２０、及び情報要素２００を通じて伝達しようとする情報を記録する情報フィールド２３０で構成される。
【００２５】
図５は、要素ＩＤフィールド２１０に記録される要素ＩＤの種類を表として示した図面である。要素ＩＤによって情報要素２００がどんな種類の情報を含むかが分かる。示された表には従来に予約されていた要素ＩＤのうち、要素ＩＤを‘４１’とする‘ＭＩＭＯ  ＣＰパラメータセット’という情報要素が追加されている。しかしながら、ＭＩＭＯ  ＣＰパラメータセットの要素ＩＤは他の値に設定されてもよく、ＭＩＭＯ  ＣＰパラメータセットについては図６を通じて説明するようにする。
【００２６】
図６は、本発明で提示するＭＩＭＯ−ＣＰパラメータセットの構造を示したことである。示された情報要素は、要素ＩＤフィールド４１０、長さフィールド４２０、及びＭＩＭＯ−ＣＰ  Ｄｕｒａｔｉｏｎフィールド４３０を含んで構成できる。
【００２７】
要素ＩＤフィールド４１０には、ＭＩＭＯ−ＣＰパラメータセット情報要素の要素ＩＤが記録される。例えば、ＭＩＭＯ−ＣＰパラメータセット情報要素の要素ＩＤを図５に示すように限定すれば、要素ＩＤフィールド４１０には‘４１’が記録できる。
【００２８】
長さフィールド４２０には、ＭＩＭＯ−ＣＰ  Ｄｕｒａｔｉｏｎフィールド４３０の大きさが記録される。
【００２９】
ＭＩＭＯ−ＣＰ  Ｄｕｒａｔｉｏｎフィールド４３０は、ＭＩＭＯステーションが競争を通じてチャネルを占有できるようにするＭＩＭＯ競争区間に関する情報を含む。例えば、ＭＩＭＯ−ＣＰ  Ｄｕｒａｔｉｏｎフィールド４３０にはＭＩＭＯ競争区間の持続時間が記録できる。従って、ポイント調整子からＭＩＭＯ−ＣＰパラメータセット情報要素を受信したＭＩＭＯステーションはＭＩＭＯ−ＣＰ  Ｄｕｒａｔｉｏｎフィールド４３０を解析して自分が競争を通じてチャネルを占有できる時間区間が分かるようになる。その外に追って本フレームに関連した情報を追加できるようにするため予約フィールド（図示せず）を付加してもよい。
【００３０】
このようなＭＩＭＯ−ＣＰパラメータセット情報要素は、管理フレームのうちビーコンフレームに含まれることが好ましい。
【００３１】
図７は、本発明の実施形態によるＣＦＰ反復区間を概略的に示した図面である。
【００３２】
示されたＣＦＰ反復区間は、無競争区間５１０、ＭＩＭＯ競争区間５２０及び競争区間５３０で構成される。
【００３３】
ＭＩＭＯ競争区間５２０は、従来の無競争区間（ＰＣＦ区間）のうち一部が分割されて割り当てられたことでありうる。無競争区間５１０で各ステーションは従来の方式通りフレーム伝送を行うようになる。すなわち、ポイント調整子によってポールを受けたステーションが優先的にフレームを伝送し、残りステーションはポイント調整子からポールを受けるときまで待機する。
【００３４】
ＭＩＭＯ競争区間５２０でＭＩＭＯステーションは、競争を通じてチャネルを占有するようになり、これのため図２で説明したバックオフアルゴリズムが使用できる。ＭＩＭＯ競争区間５２０に関する情報は、ＭＩＭＯステーションが図６を通じて説明したようなＭＩＭＯ−ＣＰパラメータセット情報要素が含まれた管理フレームをポイント調整子から受信し、管理フレームに載せられたＭＩＭＯ−ＣＰパラメータセット情報要素の解析を通じて獲得できる。
【００３５】
しかしながら、従来のＩＥＥＥ８０２．１１ａ基盤のステーション（ＳＩＳＯステーション）はこのフレームを解析できないため、無競争区間５１０とＭＩＭＯ競争区間５２０を含んだ最大無競争区間（ＭａｘＣＦＰ）５４０で続けてＰＣＦ方式で通信を遂行する。
【００３６】
ポイント調整子がＣＦ−終了フレームを伝送して最大無競争区間５４０が終われば、競争区間５３０で従来のＩＥＥＥ８０２．１１ａステーションはＳＩＳＯデータを伝送するためのチャネル占有競争を行うようになる。この時、ＭＩＭＯステーションもまたＳＩＳＯデータを伝送するため一緒に競争に参与できる。
【００３７】
本発明の全体的な動作を、図８を参照して調べれば次の通りである。
【００３８】
図８は、本発明の一実施形態による無線ネットワーク通信過程を示した流れ図である。
【００３９】
ポイント調整子がＭＩＭＯ競争区間５２０に関する情報を含んだ管理フレームを生成し、生成した管理フレームをポイント調整子が含まれた無線ネットワークを構成するステーションに伝送する（Ｓ１１０）。管理フレームは、最大無競争区間５４０に関する情報を含んだＣＦパラメータ情報要素と図６を通じて説明したようなＭＩＭＯ−ＣＰパラメータセット情報要素を含むことができる。このような管理フレームはビーコン５１２であることが好ましく、ビーコンフレーム５１２はＩＥＥＥ８０２．１１標準に従うビーコンフレームでありうる。
【００４０】
管理フレーム（例えば、ビーコンフレーム５１２）を受信した各ステーションは、ＮＡＶを設定してポイント調整子からポールが受信する時まで待機する（Ｓ１２０）。この場合、ＭＩＭＯステーションは受信したビーコン５１２に載せられているＭＩＭＯ−ＣＰパラメータセット情報要素を解析して最大無競争区間５４０でＭＩＭＯ競争区間５２０を物静かな無競争区間５１０にかけてＮＡＶ値を設定する。しかしながら、既存のＩＥＥＥ８０２．１１ａ基盤のステーション（ＳＩＳＯステーション）はＭＩＭＯ−ＣＰパラメータセット情報要素を解析できないため、最大無競争区間５４０ほどＮＡＶ値を設定する。この時各ステーションは、ＮＡＶを設定した時間の間図１を通じて説明したようなＰＣＦ方式によってチャネルを占有する。
【００４１】
無競争区間５１０が終了されれば、ＭＩＭＯ競争区間５２０が開始される（Ｓ１３０）。無競争区間（５１０）のうちポールを受けたステーションのデータ伝送が最終的に終えられれば、各ＭＩＭＯステーションは競争を通じてチャネルを占有するようになる。例えば、無競争区間５１０が終えられた後、ＤＩＦＳ期間５２２後に所定のサイズの競争ウィンドウ区間が各ＭＩＭＯステーションに設定される。この時バックオフアルゴリズムによって選択される確率が同一なランダムスロットの値（バックオフタイム）が競争に参与したＭＩＭＯステーションにそれぞれ割り当てられる。
【００４２】
最小のバックオフタイムを有するＭＩＭＯステーションが先ずチャネルを占有してフレーム伝送を行うようになり、残りＭＩＭＯステーションが同じ方式でバックオフアルゴリズムによる優先順位を決めてチャネルを占有するようになる。このような方式は、図２を通じて説明したＤＣＦ方式でありうる。
【００４３】
反面、既存のＩＥＥＥ８０２．１１ａ基盤のステーションはポイント調整子が伝送したビーコンに含まれたＭＩＭＯ−ＣＰパラメータセット情報要素を解析できないためＭＩＭＯ競争区間５２０でもポイント調整子のポールを受信した場合にチャネルを占有するようになる。
【００４４】
ＭＩＭＯ競争区間５２０は、最大無競争区間５４０と同時に終了される。例えば、ポイント調整子が従来のＩＥＥＥ８０２．１１標準に従うＣＦＰ終了フレーム（無競争終了フレーム）を伝送することによって、ＭＩＭＯ競争区間５２０を含んだ最大無競争区間５４０が終了され、競争区間５３０が開始される（Ｓ１４０）。従って、従来のＩＥＥＥ８０２．１１ａ基盤のステーションはこの時から競争を通じてチャネルを占有するようになる。各ステーションの競争を通じたチャネル占有方法は、図２を通じて説明したようなバックオフアルゴリズムに従うことができる。ＭＩＭＯステーションは、この期間の間ＩＥＥＥ８０２．１１ａステーションと一緒に従来のＩＥＥＥ８０２．１１ａデータ（ＳＩＳＯデータ）を伝送するため競争できる。
【００４５】
以上、本発明について詳細に記述したが、当業者であれば、特許請求の範囲に限定された本発明の精神及び範囲を外れないながら本発明を多様に変形又は変更して実施できることは自明であり、従って本発明の実施形態による単純な変更は本発明の技術を外れることができないものである。
【図面の簡単な説明】
【００４６】
【図１】ＰＣＦ方式によってステーション間にデータを伝送する過程を示した図である。
【図２】ＤＣＦ方式のバックオフ手続きを示した図である。
【図３】ＩＥＥＥ８０２．１１で管理フレームの構成を示した図である。
【図４】ＩＥＥＥ８０２．１１標準に従う管理フレームのフレームボディーの基本構造を示した図である。
【図５】要素ＩＤフィールドに記録される要素ＩＤの種類を表として示した図である。
【図６】本発明で提示するＭＩＭＯ−ＣＰパラメータセットの構造を示した図である。
【図７】本発明の実施形態によるＤＦＰ反復区間を概略的に示した図である。
【図８】本発明の一実施形態による無線ネットワーク通信過程を示した流れ図である。
【図１】
2007522757.tif 000003
【図２】
2007522757.tif 000004
【図３】
2007522757.tif 000005
【図４】
2007522757.tif 000006
【図５】
2007522757.tif 000007
【図６】
2007522757.tif 000008
【図７】
2007522757.tif 000009
【図８】
2007522757.tif 000010
【国際調査報告】
2007522757.tif 000011
2007522757.tif 000012